(57)【特許請求の範囲】
【請求項１】
裏面に不透明層を形成した表面シートを、透明な基板シートの表面に、表面貼着層を介して剥離可能に止着すると共に基板シートの裏面に基板貼着層を設け、一通の書類に表示した遮蔽目的部を被覆して止着可能とした基板シートを、一通の書類に複数枚添付したものに於いて、透明な基板シートに線表示を施し、この線表示を、一通の書類に添付した複数枚の異なる基板シート毎に異なる位置に表示するとともに前記の不透明層は、表面シートの基板シート側に、離型剤によって警告表示を印刷して剥離容易な離型部を設けて成る複数枚の遮蔽シールと、この複数枚の遮蔽シールを添付した一通の書類とから成ることを特徴とする印影、サイン、パスワードの通知書。
【請求項２】
線表示は、１本又は複数本の直線又は曲線を用いて表示したものであることを特徴とする請求項１の印影、サイン、パスワードの通知書。
【請求項３】
線表示は、基板シートの表面シート側に表示したものであることを特徴とする請求項１の印影、サイン、パスワードの通知書。
【請求項４】
線表示は、基板シートの目的シート側に表示したものであることを特徴とする請求項１の印影、サイン、パスワードの通知書。
【請求項５】
表面貼着層は、不透明層の一端を除いて形成し、この表面貼着層を形成しない部分を摘片とした事を特徴とする請求項１の印影、サイン、パスワードの通知書。
【請求項６】
表面シートの表面の一端には、捺印可能な紙を貼着した捺印部を、一定幅で形成した事を特徴とする請求項１の印影、サイン、パスワードの通知書。
【請求項７】
不透明層は、アルミ真空蒸着により形成した事を特徴とする請求項１の印影、サイン、パスワードの通知書。
【発明の詳細な説明】
【０００１】
【産業上の利用分野】
本発明は、銀行に於ける顧客の印影、サイン、パスワード、パソコン通信に於けるパスワードの通知等に於いて、正当権限者のみがこれらのものを見ることができ、定められた者以外の者が、これらのものを不正に見た場合は、その事実が確実に判明するようにした印影、サイン、パスワードの通知書に係るものである。
【０００２】
【従来の技術】
従来、銀行業務に於いて、顧客の印影、サイン、パスワード等を、窓口係員、得意先係が顧客から受領した場合、この印影、サイン、パスワード等には特別の遮蔽が成されず、正当権限者以外でも容易にこれを見ることができるものと成っている。そのため、窓口係員、得意先係等から、印影、サイン、パスワード等を管理する正当権限者に至る過程で、複数の者が、これを見ることによって、コピーしたり、控えを取ることが可能となる。
【０００３】
また、パソコン通信、クレジットカード等に於けるパスワードの通知に於いては、郵送手段が取られるが、本人に到達する前にパスワードを第三者に見られた場合には、そのパスワードを悪用されることにより、本人又は正当権限者は著しい損害を受ける可能性がある。しかし、この場合も正当権限者がパスワードを第三者に見られたことを知ることができれば、パスワードを変更することによって容易に被害を防止することができる。
【０００４】
また、上述の如き課題を解決しようとする従来技術としては、特開平９−２７９１０８号公報記載の発明の如く、裏面に不透明層を形成した表面シートを、透明な基板シートの表面に、表面貼着層を介して剥離可能に止着すると共に基板シートの裏面に基板貼着層を設け、この基板シートを、目的シートに記載された遮蔽目的部に止着して遮蔽目的部の被覆を可能としたものが存在する。この従来方法は、遮蔽目的部の記載内容が表面シートの不透明層に因って被覆されるため、外部からこれを読みとることが出来ない利点を有している。そして、この表面シートを剥離すると透明な基板シートを介して遮蔽目的部の記載内容を見ることが出来るため、正当権限者は容易に記載内容を見ることが出来る。また、正当権限者でない者が表面シートを引き剥がすと、この剥離した表面シートは基板シートに再度貼着することが出来ないため、引き剥がしの事実が容易に確認できるものとなる。
【０００５】
【発明が解決しようとする課題】
しかしながら、上記の印影、サイン、パスワードの通知書を提供する銀行、信販会社、パソコン通信のプロバイダー等は、顧客が印影、サイン、パスワードの通知書の貼着を失敗した場合を考慮し一通の申込書類に、遮蔽目的部の記載内容を被覆するのに必要な枚数よりも多くの、複数の印影、サイン、パスワードの通知書を添付している。また、銀行、信販会社、パソコン通信のプロバイダー等が発行する、印影、サイン、パスワードの通知書を添付したサービスの申込書は何処でも簡易に入手することが出来るものとなっている。
【０００６】
遮蔽目的部の記載内容の表面に貼着する基板シートは、表面シートを剥離した後の記載内容の確認を容易とするため、透明のシートで形成されている。すると、遮蔽目的部の記載内容を不当に盗み見ようとする者は、申込者が貼着した遮蔽シールの表面シートを剥離し、基板シートの表面に残留している不透明層を除去し、遮蔽目的部の記載内容を確認した後に、他から入手した遮蔽シールを、基板シートの表面に重ねて貼着する。この不正行為によって、遮蔽目的部には基板シートが２枚重ねて貼着されることになるが、基板シートは透明であるから、正当権限者が表面シートを剥離し、不透明層を除去して記載内容を確認する場合に極めて発見し難いものとなる。そのため、不正行為に気づかず印影、サイン、パスワード等を正式なものとして登録する結果、これらを悪用され印影、サイン、パスワード等の正当使用者に被害を及ぼす可能性があった。
【０００７】
本発明は、上述の如き課題を解決しようとするものであって、正当権限者以外は印影、サイン、パスワード等を見ることが出来ないとともに、万一不正手段によってこれを見られた場合には、不正手段によって見られたことが、正当権限者によって容易に確認できるようにしようとするものである。この確認により、容易に対策を取ることを可能にするものである。
【０００８】
【課題を解決するための手段】
本発明は、上述の如き課題を解決するため、裏面に不透明層を形成した表面シートを、透明な基板シートの表面に、表面貼着層を介して剥離可能に止着すると共に基板シートの裏面に基板貼着層を設け、一通の書類に表示した遮蔽目的部を被覆して止着可能とした基板シートを、一通の書類に複数枚添付したものに於いて、透明な基板シートに線表示を施し、この線表示を、一通の書類に添付した複数枚の異なる基板シート毎に異なる位置に表示するとともに前記の不透明層は、表面シートの基板シート側に、離型剤によって警告表示を印刷して剥離容易な離型部を設けて成る複数枚の遮蔽シールと、この複数枚の遮蔽シールを添付した一通の書類とから成るものである。
【０００９】
また、線表示は、１本又は複数本の直線又は曲線を用いて表示したものであっても良い。
【００１０】
また、線表示は、基板シートの表面シート側に表示したものであっても良い。
【００１１】
また、線表示は、基板シートの目的シート側に表示したものであっても良い。
【００１２】
また、表面貼着層は、不透明層の一端を除いて形成し、この表面貼着層を形成しない部分を摘片としたものであっても良い。
【００１３】
また、表面シートの表面の一端には、捺印可能な紙を貼着した捺印部を、一定幅で形成したものであっても良い。
【００１４】
また、不透明層は、アルミ真空蒸着により形成したものであっても良い。
【００１５】
【作用】
本発明は、上述の如く構成したものであるから、銀行の窓口係員、得意先係等は、顧客から印影、サイン、パスワード等の提供を受けた場合は、直ちにその場で、遮蔽シールをこれらの保護表示の上に被覆して貼着する。また、銀行の窓口係員、得意先係等もこれを見ることなく、顧客に直接遮蔽シールを印影、サイン、パスワード等の表面に貼着してもらうのが好ましいものである。また、パソコン通信のパスワード、クレジットカードのパスワード等において、顧客は発送前に通知書のパスワード部分に遮蔽シールを貼着する。
【００１６】
上述の如く遮蔽目的部の遮蔽を、遮蔽シールで行う事により、印影、サイン、
パスワード等は遮蔽シールの表面シートを剥離しない限り不透明層によって見ることが出来なくなる。
【００１７】
また、不正手段により遮蔽シールの剥離が行われた場合には、基板シートは遮蔽目的部に貼着されたままとなり表面シートのみが分離される。しかし、表面シートの基板シート側には離型部が形成されているため、この離型部の部分の不透明層は表面貼着層とともに基板シートに残留して剥離される。その結果、基板シートの表面には一定の意味を有する警告表示が表示されるものとなる。また、一度剥離された表面シートは、基板シートに再度止着する事は出来ないから、剥離の事実を消すことは出来ない。
【００１８】
また、透明な基板シートの表面には不透明層が残留するが、表面貼着層の貼着強度を調整しておくことにより、指等で擦る事により容易に取り除くことが出来、基板シートで被覆された遮蔽目的部の保護表示の確認が困難に成ることはない。
【００１９】
また、遮蔽シールを貼着する遮蔽目的部が軟弱な紙質であっても、遮蔽目的部には基板シールが貼着されているから、表面シートを剥離する場合に遮蔽目的部の表面を剥離して、記載してある印影、サイン、パスワード等を識別不能とすることがない。また、これらの印影、サイン、パスワード等は基板シートによって被覆されているから、以後の改竄等をも防止することができるとともに基板シートによって保護され、長期間の使用を可能とすることができる。
【００２０】
しかしながら、従来公知例では不透明層を取り除いた基板シートの表面に、重ねて遮蔽シートを基板シート側から貼着することにより、基板シートは２枚重ねられることになるが、基板シートが透明であることから、正当権限者が表面シートを剥離しても、重ね張りの事実が判明しにくいものとなる。このように、不正行為に気づかず印影、サイン、パスワード等を正式なものとして登録する結果、
これらを悪用され印影、サイン、パスワード等の正当使用者に被害を及ぼす可能性があった。
【００２１】
本発明に於いては、透明な基板シートに線表示を施し、この線表示を、異なる基板シート毎に異なる位置に表示したものであるから、透明な基板シートが２枚重ねられると、透明な基板シートには、その重ねられた数に対応する線表示が表示されるものとなる。即ち、透明な基板シートに２本の線表示を施しておけば、
２枚の基板シートを重ねると、４本の線表示が表れ、不正行為が行われたことを明確に判別することが可能となる。
【００２２】
【実施例】
以下本発明の一実施例を図面に於て説明すれば、(１)は基板シートで、透明または半透明の樹脂フイルムにより形成し、裏面に適宜の粘着剤を用いて基板貼着層(２)を形成するとともに遮蔽目的部(３)の印影、サイン、パスワード等を被覆し得る大きさに形成している。この基板シート(１)には、図６に示す如く、線表示(４)を施し、この線表示(４)を、異なる基板シート(１)毎に異なる位置に表示している。線表示(４)を、異なる基板シート(１)毎に異なる位置に表示するには、図７に示す如く、多数の基板シート(１)を並べて、この基板シート(１)に１本又は複数本の直線又は曲線を印刷することにより行う。大判のシートに線表示(４)を印刷してこれを複数に打ち抜いて基板シート(１)を形成するものであっても良い。
【００２３】
この基板シート(１)の表面に表面シート(５)を配置する。この表面シート(５)の基板シート(１)側に離型剤により、一定の意味を有する記号、文字等の警告表示(６)を印刷して剥離容易な離型部(７)を設ける。この離型部(７)の警告表示(６)は、開封無効、開封済み等の文字警告表示であっても、特定の記号、数字であっても、要するに当事者が開封の事実を理解し得るものであればよい。また、離型剤はシリコン等の適宜の離型剤を用いることができ、一実施例ではシリコン印刷方法により離型部(７)を形成した。
【００２４】
また、この離型部(７)の形成部分を含めて、表面シート(５)の基板シート(１)側に不透明な不透明層(８)を形成する。この不透明層(８)は、不透明インキを印刷しても良いが、本実施例に於いてはアルミ蒸着法により、表面シート(５)の基板シート(１)側の全面に形成している。
【００２５】
また、不透明層(８)の基板シート(１)側には、図９に示す如く、文字、図形、模様、記号の一種又は複数種を組み合わせて線模様(１０)を表示する。そして、遮蔽目的部(３)の記載内容を、目的シート(１１)の裏面から遮蔽目的部(３)と共に線模様(１０)を透視して重複させ、目的シート(１１)の裏面に透過して見える遮蔽目的部(３)の読みとりを困難とするものである。尚、図９は目的シート(１１)に表示したパスワード等の遮蔽目的部(３)と線模様(１０)の識別を容易とするため遮蔽目的部(３)を実線で、線模様(１０)を点線で表示したが、実際の使用では遮蔽目的部(３)と線模様(１０)は同一又は近似した線で描かれるものである。
【００２６】
また、この不透明層(８)の基板シート(１)側に、基板シート(１)の表面に表面シート(５)を貼着するための表面貼着層(１２)を、適宜の粘着剤により形成している。また、この表面貼着層(１２)は、図２，図８に示す如く不透明層(８)の一端を除いて形成し、この表面貼着層(１２)を形成しない部分を表面シート(５)の摘片(１３)としている。また、この表面シート(５)の表面の一端、即ち摘片(１３)の表面には、捺印可能な和紙等の紙を貼着して捺印部(１４)を一定幅で形成している。
【００２７】
又、前記の線表示(４)は、基板シート(１)の表面シート(５)側に表示すれば印刷が容易となるし、基板シート(１)の目的シート(１１)側に表示すれば、線表示(４)は基板シート(１)と目的シート(１１)との間に形成されるため、改竄がし難いものとなる。
【００２８】
上述の如く構成したものに於て、銀行の窓口係員、得意先係等は、顧客から印影、サイン、パスワード等の遮蔽目的部(３)の提供を受けた場合は、直ちにその場で遮蔽シール(１５)を、基板シート(１)側の基板貼着層(２)側から、これらの遮蔽目的部(３)の上に被覆して貼着する。また、銀行の窓口係員、得意先係等も印影、サイン、パスワード等の遮蔽目的部(３)を見ることなく、遮蔽シール(１５)を印影、サイン、パスワード等の遮蔽目的部(３)の表面に顧客に直接貼着してもらうのが好ましいものである。また、パソコン通信、クレジットカード等のパスワードの発送に於いては、発送前に、通知書のパスワード部分の保護表示にに遮蔽シール(１５)を上記と同様に貼着する。
【００２９】
上述の如く、遮蔽目的部(３)の遮蔽を、遮蔽シール(１５)で行う事により、印影、サイン、パスワード等の遮蔽目的部(３)は不透明層(８)によって見ることが出来なくなり、正当権限者に到達するまでの間に於ける、不正手段による盗用、複写等を防止することが出来る。また、この遮蔽被覆を行った者を明確にするため、図４に示す如く捺印部(１４)と遮蔽目的部(３)との間に割印(１６)を捺印する。
【００３０】
また、不正手段により遮蔽シール(１５)の剥離が行われた場合には、基板シート(１)は遮蔽目的部(３)に貼着されたままとなり、表面シート(５)のみが分離される。しかし、表面シート(５)の基板シート(１)側には離型部(７)が形成されているため、この離型部(７)の部分の不透明層(８)は、表面貼着層(１２)とともに基板シート(１)に残留して剥離される。その結果、基板シート(１)の表面には、図５に示す如く、記号、文字等の警告表示(６)が表示されるものとなる。また、一度剥離された表面シート(５)は、基板シート(１)に再度止着する事は困難である。
【００３１】
しかしながら、従来公知例では不透明層(８)を取り除いた基板シート(１)の表面に、重ねて遮蔽シール(１５)を貼着することにより、基板シート(１)は２枚重ねられることになるが、基板シート(１)が透明であることから、重ね張りの事実が判明しにくいものとなる。このように、不正行為に気づかず印影、サイン、パスワード等を正式なものとして登録する結果、これらを悪用され印影、サイン、パスワード等の正当使用者に被害を及ぼす可能性があった。
【００３２】
本発明に於いては、透明な基板シート(１)に線表示(４)を施し、この線表示(４)を、異なる基板シート(１)毎に異なる位置に表示したものであるから、透明な基板シート(１)が２枚重ねられると、透明な基板シート(１)には、図１に示す如く、その重ねられた数に対応する線表示(４)が表れるものとなる。即ち、透明な基板シート(１)に２本の線表示(４)を施しておけば、２枚の基板シート(１)を重ねると、４本の線表示(４)が表れ、不正行為が行われたことを明確に判別することが可能となる。そのため、表面シート(５)が剥離され記載事項が第三者に見られた事実を消すことは出来ない。この剥離の事実を知った正当権限者は、パスワードを変更する等の対策を直ちに取ることが可能となる。
【００３３】
また、基板シート(１)は、透明または半透明とするが、着色したものを用いれば、上記の重ね貼りを行った場合に、少しでも重ねた位置がズレれば、基板シート(１)の色に濃淡が生じるため、重ね貼りを行ったことが判別し易くなり、線表示(４)の作用と相俟って更に重ね貼りの不正行為を発見しやすいものとなる。
【００３４】
また、正当権限者が遮蔽シール(１５)の剥離を行うには、図３に示す如く、摘片(１３)を保持して表面シート(５)を引き剥がすことにより、容易に表面シート(５)と基板シート(１)は分離される。また、透明な基板シート(１)の表面には、
不透明層(８)が表面貼着層(１２)とともに残留するが、表面貼着層(１２)の貼着強度を調整しておくことにより、指等で警告表示(６)である残留物を擦る事により容易に取り除くことが出来、基板シート(１)で被覆された遮蔽目的部(３)のパスワード、印影等の確認が困難に成ることはない。
【００３５】
また、遮蔽シール(１５)を貼着する遮蔽目的部(３)が軟弱な紙質であっても、
遮蔽目的部(３)には基板シート(１)が貼着されているから、表面シート(５)を剥離する場合に遮蔽目的部(３)の表面を剥離して、記載してある印影、サイン、パスワード等の遮蔽目的部(３)を識別不能とすることがない。また、これらの印影、サイン、パスワード等の遮蔽目的部(３)は、基板シート(１)によって被覆されているから、以後の改竄等をも防止することができるとともに基板シート(１)によって保護され、長期間の使用を可能とすることができる。
【００３６】
【発明の効果】
本発明は上述の如く構成したものであるから、遮蔽目的部に遮蔽シールを貼着する事により、印影、サイン、パスワード等は不透明層によって見えなくなる。
また、不正手段により遮蔽シールの表面シートが剥離された場合には、離型部の部分の不透明層は表面貼着層とともに基板シートに残留して剥離されるから、容易に不正剥離の事実を確認することができる。また、上記の残留物は、表面貼着層の貼着強度を調整しておくことにより、指等で擦る事により容易に取り除くことが出来、基板シートで被覆された遮蔽目的部の保護表示の確認が困難に成ることはない。
【００３７】
また、透明な基板シートに線表示を施し、この線表示を、異なる基板シート毎に異なる位置に表示したものであるから、透明な基板シートが２枚重ねられると、透明な基板シートには、その重ねられた数に対応する線表示が表れるものとなる。即ち、透明な基板シートに２本の線表示を施しておけば、２枚の基板シートを重ねると、４本の線表示が表れ、不正行為が行われたことを明確に判別することが可能となる。
【００３８】
また、遮蔽シールを貼着する遮蔽目的部には基板シートが貼着されているから、表面シートを剥離する場合に遮蔽目的部の表面を剥離して、記載してある印影、サイン、パスワード等を識別不能とすることがない。また、これらの印影、サイン、パスワード等は基板シートによって被覆されているから、以後の改竄等をも防止することができるとともに基板シートによって保護され、長期間の使用を可能とすることができる。
【図面の簡単な説明】
【図１】  基板シートが二重に重ねられた状態を示す表面図。
【図２】  遮蔽シールの断面図。
【図３】  表面シールの剥離過程を示す断面図
【図４】  捺印部に割り印を表示した状態の平面図。
【図５】  表面シートを剥離した基板シートの平面図。
【図６】  表面シートを剥離し警告表示を除去した基板シートの平面図。
【図７】  基板シートへの線表示の印刷の一例を示す平面図。
【図８】  線模様を設けた遮蔽シールの断面図。
【図９】  線模様を設けた遮蔽シールを目的シートの裏面から透視した状態の平面図。
【符号の説明】
１    基板シート
２    基板貼着層
３    遮蔽目的部
４    線表示
５    表面シート
６    警告表示
７    離型部
８    不透明層
１０    線模様
１１    目的シート
１２    表面貼着層
１３    摘片
１４    捺印部
１５    遮蔽シール
【図１】
0003854146.tif 000002
【図２】
0003854146.tif 000003
【図３】
0003854146.tif 000004
【図４】
0003854146.tif 000005
【図５】
0003854146.tif 000006
【図６】
0003854146.tif 000007
【図７】
0003854146.tif 000008
【図８】
0003854146.tif 000009
【図９】
0003854146.tif 000010